(57)【要約】【課題】偽造基板ユニットを使用し、余剰封止部材を使用することによる不正開封（ＲＯＭ交換）を防止すること。【解決手段】基板ユニットを備えた遊技機において、複数の第１封止部と複数の第２封止部の内の初回使用となる少なくとも一対の第１封止部及び第２封止部を、他の第１封止部及び第２封止部の封止構造とは異なる特別封止構造で構成し、前記第１封止部と第２封止部とを連結する前記封止部材の内、少なくとも一つを前記特別封止構造に適合する特別封止部材で構成してある。【選択図】      図２４
2014166547.tif 000002
【特許請求の範囲】
【請求項１】
第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを連結する封止部材とを有し、その封止部材によって、少なくとも一対の前記第１封止部と第２封止部とが連結されている場合に前記回路基板を取り出すときには、基板ユニットを破壊するか或いは所定の部位を切断することを必要とする基板ユニットを備えた遊技機において、
前記複数の第１封止部と複数の第２封止部の内の初回使用となる少なくとも一対の第１封止部及び第２封止部を、他の第１封止部及び第２封止部の封止構造とは異なる特別封止構造で構成し、
前記第１封止部と第２封止部とを連結する前記封止部材の内、少なくとも一つを前記特別封止構造に適合する特別封止部材で構成し、
前記特別封止部材によって前記特別封止構造の前記第１封止部と第２封止部とを連結して基板ユニットの封止を行うように構成してあることを特徴とする遊技機。
【発明の詳細な説明】
【技術分野】
【０００１】
本発明は、パチンコ機やスロットマシンに代表される遊技機に関し、より詳しくは、制御基板を収容可能な基板ケースを備えた遊技機に関するものである。
【背景技術】
【０００２】
従来の遊技機には、遊技に関わる種々の制御を司る制御基板を基板ケースに収容したものがある。この種の基板ケースは、複数の封止機構（封止部及び封止部材等）が設けられた基板ユニットで、それら複数の封止機構を順次利用して封止される。
即ち、第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを順次連結する複数の封止部材とを有し、その封止部材によって、少なくとも一つの前記第１封止部と第２封止部とが連結されている場合に前記回路基板を取り出すときには基板ユニットを破壊するか或いは所定の部位を切断することを必要とする。
【０００３】
このように、封止機構（第１封止部と第２封止部及びこれらを連結する封止部材）が複数けられているのは、不正行為者が不正に制御基板を取り出すときには痕跡が残り、営業店側が後に確認したときに不正が行われたことを容易に発見できるようにするためであり、複数の封止部を個別に使用することによって複数回の開閉操作が可能になっている。例えば、監督官庁等の検査機関による検査の際には、現在封止されている封止機構を破壊して基板ケースを開封すると共に、検査後に未使用の封止機構を用いて基板ケースを再度封止することができる。そして、検査回数を履歴として残すようにし、検査回数と破壊された封止機構の数とを照合することにより、不正行為によって封止機構が破壊されたことがあるか否かを判定する。なお、不正行為は、正規な制御プログラムが格納されているＲＯＭを不正な制御プログラムが格納されているＲＯＭに交換すること等を目的としてなされる。
【先行技術文献】
【特許文献】
【０００４】
【特許文献１】特開２００５−７４２１７号公報
【発明の概要】
【発明が解決しようとする課題】
【０００５】
これまでの複数の第１封止部と第２封止部及びこれらを連結する封止部材は、全て同じ構造のものが使用されていた。こうした基板ユニットは、上述した監督官庁の検査等で開閉されるもので、むやみに開閉して点検したりすることはなく、従って、複数の全ての封止部を使い切ることは殆どないため、遊技機を廃棄したり別の基板ユニットに取り替えたりするときには封止部材が多く余ることになる。そこで、不正行為者は、基板ユニット（第１ケース及び第２ケース）を偽造し、封止部材は前記余った封止部材を使用することによって、初回封止状態を現出させるようにして開封がなされたことを隠蔽する偽装工作をすることが考えられ、営業店側は、一見すると全く異常に気づかず、発見できなかったり、発見が遅れたりして損害を被ることになる。
【０００６】
本発明は斯かる課題に鑑み創案されたものであって、その目的は、偽造基板ユニットを使用し、余剰封止部材を使用することによる不正開封（ＲＯＭ交換）を防止することを目的とする。
【課題を解決するための手段】
【０００７】
本発明に係る遊技機は、
第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを連結する封止部材とを有し、その封止部材によって、少なくとも一対の前記第１封止部と第２封止部とが連結されている場合に前記回路基板を取り出すときには、基板ユニットを破壊するか或いは所定の部位を切断することを必要とする基板ユニットを備えた遊技機において、
前記複数の第１封止部と複数の第２封止部の内の初回使用となる少なくとも一対の第１封止部及び第２封止部を、他の第１封止部及び第２封止部の封止構造とは異なる特別封止構造で構成し、
前記第１封止部と第２封止部とを連結する前記封止部材の内、少なくとも一つを前記特別封止構造に適合する特別封止部材で構成し、
前記特別封止部材によって前記特別封止構造の前記第１封止部と第２封止部とを連結して基板ユニットの封止を行うように構成してあることを特徴としている。
【発明の効果】
【０００８】
本発明によれば、万一、基板ケース自体を不正に成型し、これを用いて、他の廃棄された或いは破壊された基盤ケースの封止部材を利用して、恰も、初回封止が破られていない状態の偽装を行おうとしても、その初回封止の封止部材が特殊な構造のものであり、容易に入手できないものであれば、このようなケースの成型を前提とする高度の偽装を未然に回避することができる。
【図面の簡単な説明】
【０００９】
【図１】パチンコ機の正面図。
【図２】外枠に対して内枠と前面枠セットとを開放した状態を示す斜視図。
【図３】パチンコ機から前面枠セットを取り外した状態を示す正面図。
【図４】遊技盤の構成を示す正面図。
【図５】前面枠セットの背面図。
【図６】パチンコ機の背面図。
【図７】パチンコ機の背面構成を主要部品毎に分解して示す分解斜視図。
【図８】内枠に遊技盤を組み付けた状態でその構成を示す背面図。
【図９】内枠を後方より見た斜視図。
【図１０】支持金具の構成を示す斜視図。
【図１１】第１制御基板ユニットの正面図。
【図１２】第１制御基板ユニットの斜視図。
【図１３】第１制御基板ユニットの分解斜視図。
【図１４】第１制御基板ユニットを裏面から見た分解斜視図。
【図１５】第２制御基板ユニットの正直図。
【図１６】第２制御基板ユニットの斜視図。
【図１７】第２制御基板ユニットの分解斜視図。
【図１８】裏パックユニットの正面図。
【図１９】裏パックユニットの分解斜視図。
【図２０】基板ケースの斜視図。
【図２１】基板ケースの要部の分解斜視図。
【図２２】基板ケースの要部の平面図。
【図２３】基板ケースの要部の縦断側面図。
【図２４】基板ケースの要部の斜視図。
【図２５】基板ケースの要部の正面図。
【図２６】基板ケースの要部の斜視図。
【図２７】封止部材の前面斜視図。
【図２８】封止部材の背面斜視図。
【図２９】基板ケースの要部の一封止工程を示す縦断側面図。
【図３０】基板ケースの要部の一封止工程を示す縦断側面図。
【図３１】基板ケースの要部の一封止工程を示す縦断側面図。
【図３２】封止部材の別の態様を示す要部の一使用状態を示す縦断側面図。
【図３３】封止部材の別の態様を示す要部の一使用状態を示す縦断側面図。
【図３４】封止部材の更に別の態様を示す三使用状態を示す縦断側面図。
【発明を実施するための形態】
【００１０】
本発明の説明にあたり、次の語彙を明らかにしておく。
特別封止構造に適合する特別封止部材とは、第１封止部と第２封止部とを連結させた状態で外部から取り外すことのできないように各封止部により保持される形状を有するものを言う。
複数の封止部は、通常４〜５回の開封封止を繰り返すことができるようにするために、５個乃至６個設けられるものであるが、２個以上であれば、適宜の数のものが含まれる。
基板ユニットの封止においては、初回の封止において、２個の封止部を使用する場合もあり、この場合には、３個以上の封止部が必要である。
そして、このような初回の封止に２個の封止部を使用する場合には、この２個が他の封止部(及び封止部材)と異なる構造のものとなる。
更に、この２個の封止部(及び封止部材)同士も更に異なる構造のものとすることも可能であり、３種、４種の封止部、封止部材を用いるようにすることも可能である。
本発明にかかる遊技機は、手段１として、
第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを連結する封止部材とを有し、その封止部材によって、少なくとも一対の前記第１封止部と第２封止部とが連結されている場合に前記回路基板を取り出すときには基板ユニットを破壊するか或いは所定の部位を切断することを必要とする基板ユニットを備えた遊技機において、
前記複数の第１封止部と複数の第２封止部の内の初回使用となる少なくとも一対の第１封止部及び第２封止部を、他の第１封止部及び第２封止部の封止構造とは異なる特別封止構造で構成し、
前記第１封止部と第２封止部とを連結する前記封止部材の内、少なくとも一つを前記特別封止構造に適合する特別封止部材で構成し、
前記特別封止部材によって前記特別封止構造の前記第１封止部と第２封止部とを連結して基板ユニットの封止を行うように構成してあることを特徴とする。
本発明によれば、少なくとも一対の第１封止部及び第２封止部が、他の第１封止部及び第２封止部の封止構造とは異なる特別封止構造で構成され、且つ、少なくとも一つを前記特別封止構造に適合する特別封止部材で構成してあることで、万一、基板ケース自体を不正に成型し、これを用いて、他の廃棄さられた或いは破壊された基盤ケースの封止部材を利用して、恰も、初回封止が破られていない状態の偽装を行おうとしても、その初回封止の封止部材が特殊な構造のものであり、容易に入手できないものであれば、このようなケースの成型を前提とする高度の偽装を未然に回避することができる。
【００１１】
手段２：手段１に記載の遊技機において、
初回封止に２対の第１封止部及び第２封止部が使用される場合において、その２対が他の第１封止部及び第２封止部と異なる構造とされることを特徴とする。
このように、初回封止に２対の第１封止部及び第２封止部を用いることで、封止を確実なものすることができると共にこれらに対応した封止部材を２個準備しなければ、ケースを偽装成型しても、初回封止状態を現出させることがでず、より確実に不正を防止することができる。
【００１２】
手段３：手段１に記載の遊技機において、
初回封止に２対の第１封止部及び第２封止部が使用される場合において、その２対が他の第１封止部及び第２封止部と異なる構造である共にそれぞれ１対が互いに異なる構造とされていることを特徴とする。
このように、２対の第１封止部及び第２封止部が使用されると共にそれらが他の複数の第１封止部及び第２封止部の構造と異なるのみならず、互いに異なる構造であることで、不正行為者は、特殊な２種の封止部材を準備しなければならず、こうした模倣は殆ど不可能に近いものとなり、ケースの不正成型によっても、初回封印が解除されていないと見せかける不正行為はより確実に防止できる。
【００１３】
手段４：手段１に記載の遊技機において、
前記初回封止に用いられる封止部材が、弾性を備えた合成樹脂成型の封止ピンで構成され、前記第１封止部及び第２封止部が、該封止ピンを収納して解除不能に係合するように構成されていることを特徴とする。
このように、特殊成型の封止ピンを用いることで、この封止ピンを事前に入手しない限り、基板ケースの偽装成型による初回封止を偽装した不正行為を行うことはできず、より一層防止を確実なものとすることができる。
【００１４】
手段５：手段１に記載の遊技機において、
前記初回封止に用いられる封止部材が、スプリングを備えた機械要素の封止ピンで構成され、前記第１封止部及び第２封止部が、該封止ピンを収納して解除不能に係合するように構成されていることを特徴とする。
このように、スプリングを備えた機械要素を有する特殊の封止ピンを用いることで、この封止ピン自体の偽装製作を殆ど不可能にすることができ、異なる封止部材が偽装ケースに収容されて初回封止が破られていないように見せようとしても、このような特殊な機械的封止ピンであれば、これが使用されていない場合に、外部から容易に発見可能である。
【００１５】
手段６：手段１に記載の遊技機において、
前記初回封止に用いられる封止部材が、塑性変形可能な部材で構成され、該部材を塑性変形させて前記第１封止部及び第２封止部を解除不能に係合するように構成されていることを特徴とする。
このように、塑性変形可能な部材は特異な部品であると共に一旦封止が行われると塑性変形は復元しないので、例えば、廃棄された基板ユニットからその封止部材を転用しようとしても再使用不能であり、こうした事態を回避できる。
【００１６】
手段７：手段１に記載の遊技機において、
前記初回封止に用いられる封止部材が、塑性変形可能な金属製の管状部材で構成され、且つ、前記第１封止部及び第２封止部が、該管状部材を収納するように構成され、該管状部材へのネジの螺合によって、該管状部材を塑性変形させて前記第１封止部及び第２封止部を解除不能に係合するように構成されていることを特徴とする。
このように、塑性変形可能な金属製の管状の部材は特異な部品であるので、これを事前に準備することは難しく、従って、基板ケースの偽装成型による初回封止を偽装した不正行為を行うことはできず、より一層防止を確実なものとすることができる。
【００１７】
また、本発明にかかる遊技機は、
第１ケース及び第２ケースを有して内部に回路基板が設けられた基板ユニットであって、前記第１ケース側に設けられる複数の第１封止部と、前記第２ケース側に設けられる複数の第２封止部と、を有するとともに、前記第１封止部及び前記第２封止部を連結させる封止部材を複数備え、少なくとも一対の前記第１封止部と第２封止部とが前記封止部材により連結されている場合に前記回路基板を取り出すときには、基板ユニットを破壊するか或いは所定の部位を切断することを必要とする基板ユニットを備えた遊技機において、
前記基板ユニットは、内部への接触が困難な閉状態において前記第１封止部と前記第２封止部とが対向する位置となり当該第１封止部と当該第２封止部とによって挿入部が形成されるとともに、前記封止部が当該挿入部に挿入されることにより前記第１封止部及び前記第２封止部が連結されるものであり、
前記複数の第１封止部及び前記複数の第２封止部のうち、少なくとも一対の第１封止部及び第２封止部を、他の第１封止部及び第２封止部の封止構造とは異なる特別封止構造で構成し、
前記封止部のうち、前記特別封止構造の第１及び第２封止部の組み合わせに対応した数の前期封止部材を、当該特別封止構造の第１及び第２封止部により形成される前記挿入部に挿入され、かつ、この封止部材自体を塑性変形させると外部からの取り出しが規制され第１及び第２封止部の連結を維持するものである、特別封止部材とし、
前記封止部材のうち、前記特別封止部材以外の前記封止部材は、前記特別封止構造の第１及び第２封止部に対して係合しない形状に構成し、
少なくとも前記特別封止構造の第１及び第２封止部は、前記特別封止部材により連結状態とされ、当該特別封止部材が塑性変形した状態で当該第１及び第２封止部により形成された挿入部内に収容されている、
ことを特徴とする。
この遊技機は、特別封止部材が使用され（複数の特別封止部材がある場合にその前部が使用）、封止された状態の基板ユニットを備えた遊技機で、第１及び第２封止部により挿入部を形成する型の遊技機についてのものである。
従って、予備の封止部材が余ったとしても、偽造品の基板ユニットのうち、特別封止構造の第１及び第２封止部に対し、挿入できない又は挿入しても挿入部に保持されずに外れてしまうために封止できないものである。
また、特別封止部材は、封止部を連結させた時に変形し、復元が困難（又は不能）なため、二度と使用できなくなり、例えば、廃棄処分となった基盤ユニットから使用されていた特別封止部材を流用するなどといった不都合を回避できる。
【００１８】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、スロットマシン、パチンコ機とスロットマシンとを融合させた融合機（例えば遊技媒体として遊技球を使用するスロットマシン）、その他種々の遊技機（例えばゲームセンタに設置されるいわゆるアーケードゲーム機など）に適用することができる。
【００１９】
（パチンコ機の正面構成）
図１は本実施形態のパチンコ機１０の正面図であり、図２は外枠１１に対して内枠１２と前面枠セット１４とを開放した状態を示す斜視図である。但し、図２では便宜上、下皿ユニット１３が内枠１２から取り外された状態を示している。
【００２０】
図１，２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００２１】
内枠１２の構成を、図３も用いて詳細に説明する。図３は、パチンコ機１０から前面枠セット１４を取り外した状態を示す正面図である（但し、図３では便宜上、遊技盤３０面上の遊技領城内の構成〔釘、センター役物等〕を空白で示している）。
【００２２】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００２３】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。遊技球発射ハンドル１８は、下皿１５よりも右方で手前側に突出するように配設されている。
【００２４】
遊技者による遊技球発射ハンドル１８の操作に応じて、遊技球発射装置３８（図６参照）によって遊技球が遊技盤３０の方へ打ち込まれるようになっている。遊技球発射装置３８は、遊技球発射ハンドル１８と後述するセットハンドル２２８と発射モータ２２９（図６参照）などで構成されている。音出力口２４は、下皿ユニット１３内あるいは背面に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００２５】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２６】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２Ｂ（図３参照）内に嵌まり込むようにして取り付けられている。つまり、この前面枠セット１４の側面の少なくとも一部が内枠１２の外側壁（リブ）１２Ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００２７】
一方、前面枠セット１４の下部（上述の下皿１５の上方位置）には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００２８】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。
【００２９】
次に、図４を用いて遊技盤３０の構成を説明する。図４は遊技盤３０の構成を示す正面図である。遊技盤３０は、天入賞口６１０、一般入賞口６００、左右１対の第１始動口６０１、これら第１始動口６０１の変形部であって第１始動口６０１より若干下方に設けられた第２始動口６０２、遊技領域の略中央に設けられた電動役物ユニット（センター役物）６０３等を備えている。これらの一般入賞口６００、第１始動口６０１、第２始動口６０２、電動役物ユニット６０３等は、遊技盤３０における、ルータ加工によって形成された各貫通穴にそれぞれに配設され、遊技盤３０前面側から木ネジ等により取り付けられている。前述の天入賞口６１０、一般入賞口６００、第１の始動口６０１、第２の始動口６０２に対応する部位には、それぞれ、天入賞口入球センサ６０９、一般入賞口入球センサ６０７、第１始動口入球センサ６０５、第２始動口入球センサ６０６が設けられており、これらセンサは、図示しない電気配線を通じて後述する主制御基板（主制御装置）に接続されている。そして、天入賞口６１０、一般入賞口６００、第１始動口６０１、第２始動口６０２および電動役物ユニット６０３に遊技球が入球した場合には、上記各検出センサで検出され、この検出センサの出力に基づいて、上皿１９（または下皿１５）へ所定数の賞品球が払い出される。
【００３０】
尚、上記入賞感知機構にて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３１】
その他に、遊技盤３０の左右端には、上記一般入賞口６００を備えた装飾部材６３０が設けられる一方、遊技盤３０の下方には、上記第１始動口６０１、第２始動口６０２を備えた補助ユニット６０８が設けられている。また、遊技盤３０にはアウト口３６が設けられており、各種入賞装置等に入球しなかった遊技球はこのアウト口３６を通って図示しない球排出路の方へと案内されるようになっている。さらに、遊技盤３０には、遊技球の落下方向を適宜分散、調整等するために多数の釘が植設されているとともに、同様の機能を有する風車が配設されている。
【００３２】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０Ａについての遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３３】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５（図３参照）が取着されている。
【００３４】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００３５】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００３６】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００３７】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００３８】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００３９】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。
【００４０】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される、これにより、ファール球の全てがファール球通路６３に確実に案内されるようになり、ファール球と次に発射される遊技球との干渉が抑制される。
【００４１】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４２】
図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている、前面枠セット１４を内枠１２から開放した状能（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００４３】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００４４】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００４５】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、図５に示す前面枠セット１４の金属製の補強板１３１，１３２が図３に示す内枠１２の一対の金具９２に接触するようになっており、前面枠セット１４のアースが確保されている。
【００４６】
ここで、前述した前面枠セット１４について、図１，図５を参照しつつより詳細に説明する。図５は、前面枠セット１４の背面図である。前面枠セット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。
【００４７】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度および支持強度を高めるために比較的大きく設定されている。この場合、図１および図３を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００４８】
加えて、前面枠セット１４にはその周囲（例えばコーナー部分）に各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部１０４が設けられている。
【００４９】
その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５０】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５１】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００５２】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側および上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１Ａが設けられており、この係合爪１３１Ａは、前面枠セット１４を閉じた状態で内枠１２の孔部１２Ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００５３】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００５４】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【００５５】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【００５６】
（パチンコ機の背面構成）
次に、パチンコ機１０の背面の構成を詳しく説明する。図６はパチンコ機１０の背面図であり、図７はパチンコ機１０の背面構成を主要部品毎に分解して示す分解斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを一方の取付台に搭載してユニット化すると共に、払出制御基板、発射制御基板および電源基板を他方の取付台に搭載してユニット化している。ここでは便宜上、前者のユニットを「第１制御基板ユニット２０１」と称し、後者のユニットを「第２制御基板ユニット２０２」と称することとする。
【００５７】
また、払出機構および保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５８】
第１制御基板ユニット２０１、第２制御基板ユニット２０２および裏パックユニット２０３は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００５９】
一方、図８は、内枠１２に遊技盤３０を組み付けた状態でその構成を示す背面図であり、図９は内枠１２を後方より見た斜視図である。ここでは図８および図９を用いて内枠１２および遊技盤３０の裏面構成を説明する。
【００６０】
遊技盤３０は、樹脂ベース２０に囲まれた四角枠状の設置領域に設置され、内枠１２に設けられた複数（本実施形態では４カ所）の係止固定具２１１，２１２によって脱落しないように固定されている。係止固定具２１１，２１２は手動で回動でき、固定位置（ロック位置）と固定解除位置（アンロック位置）とを切り換えることができるよう構成されており、図８にはロック状態を示す。遊技盤３０の左右３ヵ所の係止固定具２１１は金属片を折り曲げ形成したＬ型の金具であり、遊技盤３０の固定状態で内枠外方へ張り出さないよう構成されている。なお、遊技盤３０の下部１カ所の係止固定具２１２は樹脂製のＩ型の留め具である。
【００６１】
遊技盤３０の中央には電動役物ユニット６０３が配置されている一方、電動役物ユニット６０３の下側には第１始動口６０１および第２始動口６０２を備えた補助ユニット６０８が配置されている。遊技盤３０の裏面には、電動役物ユニット６０３、補助ユニット６０８、および、装飾部材６３０を取り囲むようにして、遊技球回収機構を備えた裏枠セット（図示せず）が取り付けられている。また、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。従って、一般入賞口６００等に入賞した遊技球は何れも前記裏枠セットの回収通路を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。
【００６２】
なお、排出通路盤２１７は、パチンコ機前面の上皿１９の丁度裏側辺りに設けられており、上皿１９に至る球排出口（図２の球通路樋６９）より針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿１９の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となるので、不正行為を防止することができる。なお、図９において符号２２８は打球槌等を備えるセットハンドルであり、符号２２９は発射モータである。
【００６３】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図１０に示す。図１０に示すように、支持金具２３５は長尺板状の金具本体２３６を有し、その金具本体２３６より起立させるようにして、下方２カ所に第２制御基板ユニット用の支持孔部２３７が形成されると共に、上方２ヵ所に裏パックユニット用の支持孔部２３８が形成されている。それら支持孔部２３７，２３８にはそれぞれ同軸の支持孔が形成されている。
【００６４】
その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤３０との間に裏パックユニット２０３を挾み込んで支持するための回動式の固定具である。
【００６５】
その他、内枠１２の背面構成において、遊技盤３０の右下部には、後述する払出機構部３５２より払い出される遊技球を上皿１９、下皿１５、または排出通路２１８の何れかに振り分けるための遊技球分配部２４５が設けられている。すなわち、遊技球分配部２４５の開口部２４５Ａは上皿１９に通じ、開口部２４５Ｂは下皿１５に通じ、開口部２４５Ｃは排出通路２１８に通じる構成となっている。図８に示すように、遊技球分配部２４５は、その上方位置に位置する後述の払出機構部３５２（図１８参照）とは別体としている。図８に示すように、遊技球分配部２４５は、内枠１２にネジで締結固定されており、パチンコ機１０の上皿１９の排出口６７（図３参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
【００６６】
また、内枠１２の下端部には、下皿１５に設置されたスピーカの背後を囲むための樹脂製のスピーカボックス２４６が取り付けられており、このスピーカボックス２４６により低音域の音質改善が図られている。
【００６７】
次に、第１制御基板ユニット２０１を、図１１〜図１４を用いて説明する。図１１は第１制御基板ユニット２０１の正面図、図１２は同ユニット２０１の斜視図、図１３は同ユニット２０１の分解斜視図、図１４は同ユニット２０１を裏面から見た分解斜視図である。
【００６８】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００６９】
また、音声ランプ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。音声ランプ制御装置２６２上には電源中継基板２６６が搭載されており、後述する電源基板より供給される電源がこの電源中継基板２６６を介して前記表示制御装置および音声ランプ制御装置２６２に出力されるようになっている。
【００７０】
取付台２５１は、有色（例えば緑、青等）の樹脂材料（例えばポリカーボネート樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明または半透明の樹脂成型品であっても良い。
【００７１】
そして、一方の基板搭載面２５２上に主制御装置２６１（主制御基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１および音声ランプ制御装置２６２を搭載した状態において各制御装置２６１，２６２はその一部を前後に重ねて配置されるようになる。つまり、図１２等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、電動役物ユニット６０３やその電気配線等が無理なく設置できるようになっている。
【００７２】
図１３および図１４に示すように、主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は、裏パックユニット２０３の軸線を軸心として開き、第１制御基板ユニット２０１を、軸線を軸心として開いた後に、この第１制御基板ユニット２０１（基板搭載面２５２）の裏面側から固定具２６７をロック解除しなければ、取り外しできないため、基板取り外し等の不正行為に対して抑止効果が期待できる。主制御基板用の基板搭載面２５２にはその裏面に格子状のリブ２５５が設けられている。
【００７３】
取付台２５１には、図１２等の左端面に上下一対の支軸２５６が設けられており、この支軸２５６を図８等に示す支持金具２３１に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を図８等に示す被締結孔２３２にはめ込むこと等により、第１制御基板ユニット２０１が遊技盤３０に固定されるようになる。
【００７４】
次に、第２制御基板ユニット２０２を、図１５〜図１７を用いて説明する。図１５は第２制御基板ユニット２０２の正面図、図１６は同ユニット２０２の斜視図、図１７は同ユニット２０２の分解斜視図である。但し、図１６では便宜上、カードユニット接続基板３１４が取付台３０１から取り外された状態を示している。
【００７５】
第２制御基板ユニット２０２は横長形状をなす取付台３０１を有し、この取付台３０１に払出制御装置３１１、発射制御装置３１２、電源制御装置３１３およびカードユニット接続基板３１４が搭載されている。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。また、発射制御装置３１２により、遊技者による遊技球発射ハンドル１８の操作に従い発射モータ２２９の制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７６】
上記払出制御装置３１１、発射制御装置３１２、電源制御装置３１３およびカードユニット接続基板３１４は、透明樹脂材料等よりなる基板ケース３１５，３１６，３１７，３１８にそれぞれ収容された構成とされる。
【００７７】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
また、電源制御装置３１３にはＲＡＭ消去スイッチ３２３が設けられている。
【００７８】
取付台３０１は例えば無色透明な樹脂成型品よりなり、その表面に平坦状をなす基板搭載面３０２が設けられている。この場合、発射制御装置３１２、電源制御装置３１３およびカードユニット接続基板３１４は取付台３０１の基板搭載面３０２に横並びの状態で直接搭載され、電源制御装置３１３の基板ケース３１７上に払出制御装置３１１が搭載されている。
【００７９】
また、取付台３０１には、図１５等の右端部に上下一対の支軸３０５が設けられており、この支軸３０５を図９等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図９等に示す被締結孔２３９にはめ込むことで、第２制御基板ユニット２０２が内枠１２に開閉不能に固定されるようになる。
【００８０】
次に、裏パックユニット２０３の構成を説明する。裏パックユニット２０３は、樹脂成形された裏パック３５１と遊技球の払出機構部３５２とを一体化したものであり、裏パックユニット２０３の正面図を図１８に示し、分解斜視図を図１９に示す。
【００８１】
裏パック３５１は例えばＡＢＳ樹脂により一体成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）６０３を囲むのに十分な大きさを有する（但し、本実施形態では、前述の音声ランプ制御装置２６２も合わせて囲む構成となっている）。保護カバー部３５４の背面には多数の通気孔３５４Ａが設けられている。この通気孔３５４Ａは各々が長孔状をなし、それぞれの通気孔３５４Ａが比較的近い位置で隣り合うよう設けられている。従って、隣り合う通気孔３５４Ａ間にある樹脂部分を切断することにより、裏パック３５１の背面を容易に開口させることができる。つまり、通気孔３５４Ａ間の樹脂部分を切断してその内部の前記表示制御装置等を露出させることで、所定の検定等を容易に実施することができる。
【００８２】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図１９に示す払出通路３５９等を通じて上皿１９に供給される。
【００８３】
タンクレール３５６と、当該タンクレール３５６に振動を付加するためのバイブレータ３６０とが一体化となるようにユニット化されている。つまり、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００８４】
払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２Ａの切替操作により電源ＯＮまたは電源ＯＦＦとされるようになっている。
【００８５】
タンク３５５から払出通路３５９に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００８６】
また、裏パック３５１には、図１８等の右端部に上下一対の支軸３８５が設けられており、この支軸３８５を図８等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図８等に示す被締結孔２４０にはめ込むと共に、係止孔３８７に図８等に示す固定具２４２を係止させることで、裏パックユニット２０３が内枠１２に開閉不能に固定されるようになる。このとき、図８等に示す固定具２４１，２４３によっても裏パックユニット２０３が内枠１２に固定される。
【００８７】
なお、図６，図１８に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータヘ出力されるようになっている。
【００８８】
なお、図８に示すように、裏パックユニット２０３は、被締結孔２４０およびナイラッチ３８６と、固定具２４１とによって、内枠１２の裏面に着脱自在に取り付けられている。このように固定具２４１も用いているので、タンク３５５に供給される遊技球の重みで裏パックユニット２０３が内枠１２から外れてしまうことを防止している。
【００８９】
以上、パチンコ機の正面側及び背面側の構成につき説明したが、次に、本発明に関する最も重要な部分、即ち、主制御装置２６１の基板ケース２６３について詳述する。この基板ケース２６３は、第１ケース（ケース本体部４００）及び第２ケース（蓋体部５００）を有して内部に回路基板が設けられた基板ユニットであって、前記第１ケース側に設けられる複数の第１封止部（本体側封止部４０１）と、前記第２ケース側に設けられる複数の第２封止部（蓋体側封止部５０１）と、その第１封止部と第２封止部とを連結する封止部材（封止ピン７００）とを有し、その封止部材によって、少なくとも一つの前記第１封止部と第２封止部とが連結されている場合に前記回路基板を取り出すときには基板ユニットを破壊するか或いは所定の部位を切断することを必要とする基板ユニットである。なお、本発明は、主制御装置２６１の基板ケース２６３のみならず、副制御装置（例えば前記表示制御装置、音声ランプ制御装置２６２、払出制御装置３１１、発射制御装置３１２、電源制御装置３１３など）の基板ケース３１５〜３１８にも適用できるが、説明が重複するので、便宜上、以下の実施形態では主制御装置２６１の基板ケース２６３に適用した場合についてのみ説明する。
【００９０】
このように、第１封止部（本体側封止部４０１）と第２封止部（蓋体側封止部５０１）とは、複数、ここでは、５個設けられるが、初回に封印使用される封止部を除き、他は同じ構造を備え、前記複数の第１封止部と複数の第２封止部の内の初回使用となる少なくとも一対の第１封止部及び第２封止部を、他の第１封止部及び第２封止部の封止構造とは異なる特別封止構造で構成している。
そこで、先ず、図２０乃至図２３に基づいて、普通構造の第１封止部及び第２封止部及びその封止部材について説明するが、かかる、普通構造の第１封止部及び第２封止部及びその封止部材は、それ自体公知の構造のものである。
【００９１】
第１ケースであるケース本体部４００及び第２ケースである蓋体部５００は、互いにスライドして合わされる構造とされており、その嵌合方向の一側端部には、前記５個の第１封止部である本体側封止部４０１と第２封止部である蓋体側封止部５０１とが互いに対向して対応するように夫々形成されている。
そして、本体側封止部４０１と蓋体側封止部５０１とを連結する封止部材として、ここでは、封止ピン７００が、第１封止金具７００Ａと第２封止金具７００Ｂとから構成され、第１封止金具７００Ａは、本体側封止部４０１の側にセットされ、第２封止金具７００Ｂは、蓋体側封止部５０１から挿入されて前記第１封止金具７００Ａに係合するように構成されている。
【００９２】
かかる構成について詳述すると、第１封止金具７００Ａは、金属薄板を加工したものであり、図２１に示すように、本体側封止部４０１の突堤１５７に引っかかる手前側フック１６２と、本体側封止部４０１のスリットＳ１０に挿入されてそのスリットＳ１０の奥に設けられた架橋壁１５５の下側に引っかかる奥側フック１６２，１６２とを備え、手前側フック１６１と奥側フック１６２，１６２とは互いに逆向きに屈曲されている。また、第１封止金具７００Ａの中央やや奥寄りには板バネ部１６３，１６３が設けられ、この板バネ部１６３，１６３は、前記奥側フック１６２，１６２と反対側に突出している。この第１封止金具７００Ａは、第１封止部である本体側封止部４０１のスリットＳ１に挿入されると、奥側フック１６２，１６２と板バネ部１６３，１６３とが扁平に弾性変形した状態でスリットＳ１奥へと進み、奥側フック１６２，１６２が架橋壁１５５の奥の空間１５６に達すると、弾性変形した状態でスリットＳ１の奥へと進み、奥側フック１６２，１６２が架橋壁１５５の奥の空間１５６に達すると弾性により元のフック形状に復帰し、また、板バネ部１６３，１６３が第１封止金具７００Ａの全体を対向壁１５３，１５３及び架橋壁１５５へ押し付けるように附勢するため、第１封止金具７００ＡをスリットＳ１から抜き取ることは出来なくなる。このとき、手前側フック１６１は、突提１５７に引っかかった状態となり、これ以上、第１封止金具７００ＡがスリットＳ１の奥へ進むのを阻止している。また、第１封止金具７００Ａのうち中央やや手前寄りには傾斜突起１６４，１６４が設けられている。この傾斜突起１６４，１６４は、後述する第２封止金具７００Ｂと離脱不能な状態で係合し合うものである。
【００９３】
ここで、第２封止部である蓋体側封止部５０１と第２封止金具７００Ｂについて言及すると、第２封止金具７００Ｂは、金属板材を略Ｊ字状に加工したものであり、蓋体側封止部５０１のうち架橋部１８３によって仕切られた矩形孔Ｓ２０の幅広側Ｓ２０Ａに挿入される長足部９１と、矩形孔Ｓ２０Ｂに挿入される短足部９５とを繋いでいる連繋部とを備え、長足部９１の内側には、第１封止金具７００Ａが嵌め込まれた本体側封止部４０１と蓋体側封止部５０１とが整合する位置に配置されたときに矩形孔Ｓ２０へ挿入されると、長足部９１が本体側封止部４０１の対向壁１５３，１５３の間隙に進入しつつ、第１封止金具７００Ａの傾斜突起１６４，１６４を第２封止金具７００Ｂの三角突起１９２，１９２とが係合片し、第２封止金具７００Ｂを矩形孔Ｓ２０から抜こうとしても、もはや抜き取ることはできなくなる。
図２１において、８５は、第２封止部である蓋体側封止部５０１について３箇所設けられた切り取り部であり、８９は、蓋体側封止部５０１と蓋体部５００とを繋ぐ板状部材防である。
【００９４】
上述した４個の普通構造の第１封止部（本体側封止部４０１）と第２封止部（蓋体側封止部５０１）と異なり、ここでは、一端部の一つが特別封止構造を採っているものであり、この特別封止構造に対応した特別封止部材７００が用いられる。
かかる構成について、図２４乃至図３１に基づいて以下説明する。図２４は基板ケース２６３の要部の斜視図であり、図２５は、要部の側面図、図２６は、要部の一封止操作状態を示す斜視図、図２７は、封止ピンの前面斜視図、図２８は、その背面斜視図である。また、図２９は、封止ピンの予備収納姿勢を示す要部の縦断側面図であり、図３０は、封止ピンの封止姿勢を示す要部の縦断側面図であり、図３１は、封止ピンの封止姿勢で、封止が開始される前の状態を示す要部の縦断側面図である。
【００９５】
前記基板ケース２６３は、図２４乃至図２６に示すように、一対のケース構成体、即ち、制御基板を略収納する容積のある、第１ケースとなるケース本体部４００と、第２ケースとなるその蓋体部５００とからなる。
尚、ケース本体部４００（第１ケース），及び蓋体部５００（第２ケース）の称呼について、既に、上記の解決手段の項において言及した通り、蓋は、ベースとなる本体に対して閉蓋するものであるが、蓋をベースとして、これに対して本体で閉蓋することもあり、相対的なものとして認識されてよい。従って、何れをケース本体部４００、第１ケースと呼称し、蓋体部５００、第２ケースと呼称するかは、制御基板収納の機能或いは構造の観点から任意に選定してよいものであって、本発明においては、上記の通りに呼称することにしている。
【００９６】
上記基板ケース２６３は、第１ケースであるケース本体部４００と、第２ケースである蓋体部５００との二つ割りに構成されるが、図２６に示すように、互いがスライド操作によって開閉され、封止ピン７００を用い、初回の封印を行う為に、ここでは、第１封止部となる１個の本体側封止部４０１と、第２封止部となる１個の蓋体側封止部５０１とを備えた封止機構４７０により封印解除不能に構成されている。その具体構成については後述する。
そして、前記ケース本体部４００も蓋体部５００も共に透明樹脂乃至半透明樹脂（ここでは、淡黄緑色だが、その他、黒色、白色、赤色、青色、黄色など）で成型されている。
【００９７】
基本的な構成としては、ここでは、右端部の１個の本体側封止部４０１は、前記封止ピン７００を略々完全に埋没させる予備収納姿勢（図２９参照）で収納するピン収納スペース４１０を備えると共に前記封止ピン７００の先端係合部４５１をピン収納スペース４１０の外部に露出させる封止姿勢（図３０及び図３１参照）で収納するピン位置規制部４２０を前記ピン収納スペース４１０の内部に備え、且つ、前記封止ピン７００が、ピン位置規制部４２０に接当する封止姿勢において、その先端係合部７０２が前記蓋体側封止部５０１に解除不能に係合するように、前記ピン収納スペース４１０の外部に出退可能に構成されている。
【００９８】
そして、ケース本体部４００及び蓋体部５００は、互いに組み付けることで図示しない制御基板を収容するための収容空間を形成する。この実施形態では、図２４及び図２６にも示されているように、ケース本体部４００の両側縁部にコの字形の係合溝４１１，４１１を設ける一方、蓋体部５００の両側縁部に嵌合用突条体５１１，５１１を設けてある。そして、コの字形の係合溝４１１，４１１に嵌合用突条体５１１，５１１をスライド嵌合させて、ケース本体部４００及び蓋体部５００を組み付ける構成としている。
【００９９】
これを具体的に説明すると、前記ケース本体部４００と前記蓋体部５００には、その一方にスライド嵌合可能な嵌合用突条体５１１が、その他方に該嵌合用突条体５１１が係入する係合溝４１１が設けられ、前記ケース本体部４００に対して前記蓋体部５００をスライド操作することで開閉を行うことができるように構成されている。
即ち、前記一方のケース構成体であるケース本体部４００の両横側面壁の開口縁（箱状ボックスの開口）の外側に沿って嵌合用突条体５１１，５１１が夫々外側に向けて突設され、前記他方のケース構成体である蓋体部５００の両横側面壁の開口縁（箱状カバーの開口）に、前記両横側面壁よりも外側に突出するように、断面コの字型の係合溝４１１，４１１が設けられ、前記嵌合用突条体５１１，５１１が、前面壁側から後面壁側に向けて、前記コの字型の係合溝４１１，４１１にスライド嵌合できる構成とされている。
【０１００】
これによって、前記ケース本体部４００と前記蓋体部５００の開閉を、一方の嵌合用突条体５１１と、該嵌合用突条体５１１が係入する他方の係合溝４１１とによって行うことで、両者のスライドによる合わせが位置安定した状態で行い得て、スライド合わせにおいて、後述の封止ピン７００の先端係合部７０２に対する蓋体側封止部５０１の的確な接当状態が得られて、この封止ピン７００の伸縮作用（下動変位）を確実に発現させることができる。
【０１０１】
そして、図２４乃至図２６に示すように、前記本体側封止部４０１が、ケース本体部４００の一側部の外側部に、前記蓋体側封止部５０１が、前記蓋体部５００の一側部の外側で、且つ前記本体側封止部４０１に対応する右端部に１個夫々設けられ、更に、前記蓋体側封止部４０１が、前記蓋体部５００に対して破壊容易な肉厚の薄い一対のリブ５０２によって連結形成されている。
更に、図２４乃至図２６に示すように、前記ケース本体部４００の本体側封止部４０１の両外側部に、また、前記蓋体部５００の蓋体側封止部５０１の両外側部に、互いに嵌合する凹溝を備えた突起体とこれに嵌合する突起状体の封止用嵌合部５０５，４０５が夫々一体的に形成されている。
【０１０２】
このように、前記ケース本体部４００及び前記蓋体部５００の両外側部に互いに嵌合する封止用嵌合部４０５（突起状体），５０５（凹溝）を設けることで、両者をスライド操作で閉封したときに、上述した嵌合用突条体５１１と係合溝４１１との嵌合と相まって、そのスライド操作方向に直交する方向での両者の嵌合状態をより一層堅固なものとすることができる。
【０１０３】
このように、前記ケース本体部４００と本体側封止部４０１及び蓋体部５００と蓋体側封止部５０１は、夫々一体成形されている。ここでは、前記ケース本体部４００と蓋体部５００は、上述した普通構造の４個の本体側封止部４０１と、蓋体側封止部５０１を互いに対応する位置に連結し、ここでは右端部の1個の本体側封止部４０１と、蓋体側封止部５０１を特別構造としたものである。そして、図２４乃至図２６にも示すように、前記蓋体側封止部５０１は、前記ケース本体４００と前記蓋体部５００とを閉封したときに、前記本体側封止部４０１のピン収納スペース４１０を実質的に閉蓋するように形成されている。
【０１０４】
更に、図２４乃至図２６にも示すように、前記蓋体側封止部５０１は、そのスライド操作方向の先端部に、一対の突起体５０６を備え、前記本体側封止部４０１は、閉封に際して前記蓋体側封止部５０１の突起体５０６を嵌入させる嵌合孔４０６を備えている。前記突起体５０６は、ここでは、蓋体側封止部５０１の先端部の両側部に夫々突出させて嵌合状態を堅固なものとしているが、これは１つであってもよく、その位置も、幅方向中央部でも、片側寄りでもよいものであり、逆にフォークのように３本突起であってもよい。
【０１０５】
このように、蓋体側封止部５０１の先端部と本体側封止部４０１とが嵌合状態となることで、図２４及び図２６にも示すように、閉封後のこの蓋体側封止部５０１と本体側封止部４０１の部分での位置固定が確実となり、封止ピン７００による蓋体側封止部５０１と本体側封止部４０１の係止状態がグラツクことなく堅固に保持され、封印が確実に維持できる。
【０１０６】
更に、前記蓋体側封止部５０１の先端部の下面にアール（図面では鋭角に示されているが、実際には小径のアールを形成する面取りが行われている）が形成されている。このように、蓋体側封止部５０１の先端部の下面にアールが形成されることで、閉封時に、蓋体側封止部５０１の先端部が、前記ピン収納スペース４１０から露出している封止ピン７００の先端係合部７０２のカム斜面７０１に接当したときに、その下方変位の動作をスムースに導き出すことができて、封止ピンによる封印作業を確実、スムースに行い得る。尚、前記アールは、円弧、斜面（面取り）と均等であり、適宜選定して代替できる。
【０１０７】
ここで、特別構造となる封止部材である封止ピン７００の構造について、図２７及び図２８に基づいて説明する。
この封止ピン７００は、弾性のある合成樹脂、ここでは、ポリアセタールが用いられて成型によって製作されている。この封止ピン７００は、弾性を発揮する一対の湾曲状（外向き）に形成された帯状連結部材７０６により先端係合部７０２と基端部７０３とを一体的に連結することによって構成されている。そして、前記封止ピン７００の先端係合部７０２は、その一側面側に、前記蓋体側封止部５０１の内面側（先端部の下面のアール）に接当するカム斜面７０１に形成され、その他側面側が平坦な係止面７０４に形成され、全体として側面視において略楔形に構成されている。
【０１０８】
そして、前記ピン位置規制部を構成として、前記封止ピン７００の基端部７０３の幅が先端係合部７０２の幅よりも大きくなるように構成し、且つ、前記封止ピン７００の基端部７０３には接当し下降を許さず、先端係合部７０２には接当せずに下降を許容する溝幅をももつ段部を、前記ピン収納スペースの底部に設けることによって構成されていることを特徴とする。
【０１０９】
これを更に詳しく述べると、図２５、図２７、図２８に示すように、この封止ピン７００の基端部７０３の幅Ｗ１は、前記ピン収納スペース４１０の底部近傍の段部４２１の溝幅Ｗ２よりも大きく構成されており、反面、封止ピン７００の先端係合部７０２の幅Ｗ３が前記段部４２１の溝幅Ｗ２よりも小さく構成されており、これによって、封止ピン７００が、先端係合部７０２側からピン収納スペース４１０に挿入される場合には、前記ピン収納スペース４１０の底部の段部溝の内部にまで到達して全体が完全に納まって完全に埋没状態（予備収納姿勢・図２９参照）となるが、基端部７０３側からピン収納スペース４１０に挿入される場合には、封止ピン７００の基端部７０３が段部４２１の溝幅Ｗ２よりも大きいため、完全に収まりきらずに、上述したように先端係合部７０２が、そのピン収納スペース４１０から上方に露出された状態（封止姿勢）で内部にセットされることになる（図３１参照）。
【０１１０】
この封止姿勢を創出するのがピン位置規制部４２０であり、ここでは、前述したピン収納スペース４１０の内部の底部の段部４２１の溝幅Ｗ２を、封止ピン７００の基端部７０３の幅Ｗ１よりも小さく形成し、先端係合部７０２の幅Ｗ３を前記溝幅Ｗ２よりも小さくすることで構成している。
このようにして、前記ピン収納スペース４１０の底部の段部４２１の溝幅Ｗ２を前記封止ピン７００の基端部７０３の幅Ｗ１よりも小さく構成するという簡単な構造によって、封止ピン７００の予備収納姿勢と封止姿勢とを使い分けることができるようにされている。
【０１１１】
このように、ピン収納スペース４１０の底部に所定の幅の溝Ｗ２を有する段部４２１を設け、これに対応させて、封止ピン７００の基端部７０３の幅Ｗ１が先端係合部７２０の幅Ｗ３よりも大きくなるように構成し、その先端係合部７０２の幅Ｗ３を前記段部４２１の溝幅Ｗ２よりも小さく構成するだけの簡単な構造（本体側封止部４０１の成型と封止ピン７００の成型）によって、該封止ピン７００を、予備収納姿勢から封止姿勢に変えて位置決めし、封止機能を発揮させることができる。尚、この段部の設置位置としては、実施例で示すようなピン収納スペースの底部のほかに、ピン収納スペースの適宜所定の位置に設置してもよい。
【０１１２】
このように、封止ピン７００の先端係合部７０２にカム斜面７０１を形成することで、図２８に示す状態から、蓋体側封止部５０１の内面側に接当したときに、封止ピン７００の伸縮機能(収納スペース内における下動変位)をよりスムース且つ確実に生起させることができると共に他側面側を平坦な係止面７０４に形成することで蓋体側封止部５０１に対する係止作用を、単純な先鋭のピンに比べて、確実に発揮させることができる。
【０１１３】
そして、前記蓋体側封止部５０１には、図２９乃至図３１に示すように、その内側面に封止ピン７００の先端係合部７０２が嵌入する嵌入凹部５０５が設けられている。このように、蓋体側封止部５０１の内側面に嵌入凹部５０５を形成するという簡単な構造によって、封止ピン７００の先端係合部７０２の蓋体側封止部５０１に対する係合状態を確実なものにすることができ、その嵌入凹部５０５の内面と前記係止面７０４との係合片で確実な係止状態を得て、以って、封印状態を堅固なものとすることができる。
【０１１４】
そして、図３１に示すように、封止ピン７００が封止姿勢でもって前記ピン収納スペース４１０に位置されたときに、この略楔形に構成された先端係合部７０２が、そのピン収納スペース４１０から上方に露出される。尚、楔形部分のカム斜面７０１の下方には、凹部が７０５形成されているが、この構造は、成型樹脂の節約のためであり、更に、その両側方の基端部分が前記帯状連結部材７０６と繋がれている。このように、帯状連結部材７０６を用いる構造は、封止ピン７００の構成素材が合成樹脂でも、金属板バネでも良くその弾性を安定的に引き出すことができるとともに、この実施例のように、樹脂成型の場合には、封止ピン７８００先端係合部７０２と基端部７０３との間を充填樹脂で埋める必要がなく、成型樹脂を節約できることになる。
【０１１５】
（特別構造の封止部材の変形例−１）
初回封印に使用する封止部材を他の複数回使用の封止部材と異ならしめることが肝要であるので、先の実施例の樹脂成型の封止部材７００とは異なり、ここでは、機構的要素のある封止部材７００Ｃを採用し、不正行為者が更に容易に真似ることが出来ないようにしている。勿論、他の複数の封止部、封止部材については、上記の実施例の封止封部の構造及び封止部材（第１封止金具７００Ａ及び第２封止金具７００Ｂ）が用いられている。
図３２乃至図３３に示すように、この変形例においては、封止ピン７００Ｃは、上記実施例とは異なり、その先端係合部７２２が基端部７２３に対して伸縮変位自在となるように、先ず、両者間にスプリング７２６を設けることによって構成している点が異なる。このコイルスプリング７２６は、ハウジング７２７と台座となる基端部７２３により形成されるスペースに多少圧縮した状態で収められ、先端係合部７２２は、このコイルスプリング７２６の一端部に接当し、常時、上方に附勢されている。尚、スプリング７２６は、コイルスプリングでなく、板バネ、ピアノ線等の均等物を代用して用いることが可能である。
【０１１６】
そして、ピン位置規制部７５０は、本体側封止部のピン収納スペース７５１の所定位置に形成された支持部７５２と、封止ピン７００Ｃの所定位置に形成された係合部７５３とから構成されている。ここでは、次の構造が用いられている。
即ち、封止ピン７００Ｃの所定位置に形成された係合部７５３０の、その封止ピン７００Ｃの基端部７２３からの長さＬ１が、先端係合部７２２からの長さＬ２よりも短く設定され、これに合わせて、ピン収納スペース７５１の所定位置に形成された支持部７５２の位置も、底部から支持部７５２まで距離Ｌ３が封止ピン７００Ｃ先端係合部７２２からの長さＬ２よりも僅かに長く、上部開口から持部７５２まで距離Ｌ４が、前記基端部７２３からの長さＬ１より僅かに長く、これにより、封止ピン７００Ｃを、図３３に示すように、下向き姿勢、即ち、予備収納姿勢でピン収納スペース４１０に挿入した場合には完全埋没状態（予備収納姿勢）となるが、図３２に示すように、反転させて装填すると、その先端係合部７２２がピン収納スペース７５３０から突出、露出した状態となる（封止姿勢）。
【０１１７】
（特別構造の封止部材の変形例−２）
更に、初回封印に使用する特別の封止部材を他の複数回使用の封止部材と異ならしめる為に、先の実施例の樹脂成型の封止部材７００、機械要素封止部材７００Ｃとは異なり、ここでは、特殊な金属製チューブ(管状部材)を採用し、不正行為者が更に容易に真似ることが出来ないようにしている。勿論、他の複数の封止部、封止部材については、上記の実施例の封止封部の構造及び封止部材（第１封止金具７００Ａ及び第２封止金具７００Ｂ）が用いられている。
この封止部材７００Ｄについて、図３４図に基づいて説明する。
【０１１８】
図３４（Ａ）〜（Ｃ）に示すように、ここでは右端部の第２ケース側封止部５０１は、第１ケース部分の底面側に相当する側を開口させた略有底角筒状とされ、第１ケース４００の開口側に相当する底部に、封止部材７００Ｄを挿し通すための挿通孔５０３を形成した構成とされる。挿通孔５０３の両側には切り欠きを設けて軽量化及び材料費の抑制を図っている。また、第１ケース側封止部４０１は、対向する一対の側壁に切り欠きを設けて一対の舌片４０４，４０４を形成してある。各舌片４０４の内面側には、封止部材７００Ｄを仮留めするための保持部４０５を設けてある。保持部４０５は、各舌片４０４の内面側に縦列に配設した、保持部４０５の中心に向かって先細りの断面テーパー状の爪部４０５Ａ，４０５Ａから成る。また、本実施形態では、第１ケース側封止部４０１を互いに第１のリブにて連結すると共に、第２のリブ７により第１ケース部分４００の外壁と一体的に形成してある。各リブは、所望の外力を付与することで割れやすくなっている。
【０１１９】
第２ケース側封止部５０１は、中空の略直方体形状とされ、第２ケース部分の開口側の面（第１ケース側封止部４０１の底部と対向する面）に封止部材７００Ｄを挿し通すための挿通孔５０３を形成した構成とされる。また、本実施形態では、第１ケース側封止部４０１を互いにリブにて連結してある。
【０１２０】
封止部材７００Ｄは、展性に優れた軟性金属材料（例えばアルミニウムや銅など）からなる管状の部材である。図３４（Ａ）〜（Ｃ）に示すように、封止部材７００Ｄは、基端側から順に、第１ケース側封止部４０１に係止させるフランジ７１１と、前記挿通孔４０３，５０３に挿し通す円筒状の筒状部７０２を有し、封止部材７００Ｄの基端側から挿入したネジ８００を螺合させる螺合部７１３を有する。フランジ７１１は、第１ケース側封止部４０１の内形に対応する略矩形状とされる。つまり、第１ケース側封止部４０１の内周部は、封止部材７００Ｄのフランジ７１１を相対回転不能に係合させる係合部４０８となっている。筒状部７０２は、第２ケース側封止部５０１の挿通孔５０３と略同径とされる。筒状部７１２の長さは、フランジ７１１の先端側の面を第１ケース側封止部４０１の底壁面に接触させた状態で、筒状部７１２の一部（先端部）が第２ケース側封止部５０１の挿通孔５０３から突出する長さとされる。螺合部７１３の内外径はともに、筒状部７１２の内外径よりも小径に形成してある。また、封止部材７００Ｄの肉厚は、筒状部７１２も螺合部７１３もほぼ同じ厚さとされる。また、封止部材７００Ｄの長さは、フランジ７１１を第１ケース側封止部４０１の保持部４０５に仮留めした状態で、螺合部７１３の先端部が第１ケース側封止部４０１の挿通孔４０３に届かない長さとされる。封止部材７００Ｄを保持部４０５に仮留めした状態で、第２ケース部分５００と第１ケース部分４００の相対移動を許容するためである。
【０１２１】
この特別の封止部材７００Ｄによる基板ケース２６３の封止工程について説明する。
図３４（Ａ）は、封止部材７００Ｄが第１ケース側封止部４０１の保持部４０５に仮留めされた状態を示している。この状態から爪部４０５Ａ，４０５Ａの傾斜に沿って封止部材７００Ｄを押し込むと、舌片４０４，４０４が徐々に拡開して、封止部材７００Ｄが第１ケース側封止部４０１の奥に押し込まれる。第１ケース側封止部４０１の内周形状を封止部材７００Ｄのフランジ７１１の輪郭形状に対応させて形成してあるので、封止部材７００Ｄは第１ケース側封止部４０１の内周面に沿って案内され、筒状部７１２が第１ケース側封止部４０１及び第２ケース側封止部５０１の挿通孔４０３，５０３に差し込まれる。
【０１２２】
図３４（Ｂ）は、封止部材７００Ｄを第１ケース側封止部４０１の奥に押し込んで挿通孔４０３，及び第２ケース側封止部５０１の挿通孔５０３に挿し通した状態を示している。同図（Ｂ）の状態で、封止部材７００Ｄの基端側から軸力発生手段の一部としてのネジ８００を差し込む。ネジ８００の外径は、螺合部７１３の内径よりも若干大径とされる。このため、同図（Ｂ）のようにネジ８００を封止部材７００Ｄに差し込んだだけでは、ネジ８００の先端が螺合部７１３の内周側上端位置に形成される段部に担持されるだけの状態となる。
【０１２３】
図３４（Ｃ）は、同図（Ｂ）の状態から封止部材７００Ｄの螺合部７１３にネジ８００を、ドライバーを用いてねじ込んで螺合させた状態を示している。この実施形態では、同図（Ａ）（Ｂ）に示すように、螺合部７１３の内径面に予めねじ切り加工を施していない。つまり、同図（Ｂ）のように、螺合部７１３の内径よりも外径の大きいネジ８００をねじ込むことで螺合部７０３の内面がねじ切り加工されながらネジ８００が螺進する）。
【０１２４】
図３４（Ｃ）は、同図（Ｂ）の状態からさらにネジ８００をねじ込んで締め付けた状態を示している。ネジ頭８０１（鍔部）がフランジ７１１に接触した状態でネジ８００を締め付けると、ネジ８００の軸線方向の移動が阻止された状態で回動されるので、螺進方向とは逆向きで、封止部材７００Ｄの筒状部７１２に軸方向の大きな圧縮力が付与され、封止部材７００Ｄの筒状部７１２が、拡径方向に塑性変形を来たして座屈し、カシメが行われる。つまり、封止部材７００Ｄの筒状部７１２は螺合部７１３よりも大径であるので、軸方向の剛性が螺合部７１３よりも小さい。このため、ネジ８００の締め付けにより螺合部７１３が基端側に引き寄せられると、筒状部７１２が圧縮されて第２ケース側封止部５０１の挿通孔５０３から突出した部分が塑性変形を来たして拡径し、第２主ケース側封止部５０１に係止させる係止部７１４が形成される。係止部７１４が形成されたのちネジ８００は封止部材７００Ｄに取り付けたままでも取り外してもどちらでも構わないが、通常は取り外す。ネジ８００を取り付けたままにしておくと、基板ケース２６３を検査等で開封して再度他の封止部で封印を行うときに、これを抜いて用いれば、わざわざ別のネジを用意する必要がなく便利である。さらに、封止部材７００のせん断力に対する剛性が高められるという利点もある。なお、ネジ８００は、係止部７０４が形成されたのち封止部材７００から取り外される。
【０１２５】
このように、複数のうちの１個の第１封止部材及び第２封止部材に対して、これに適合する封止部材７００Ｄを用いるようにし、此れが他の第１封止部材及び第２封止部材と異なることによって、万一、第１ケース及び第２ケースを偽造されても、特異構造の初回の封止部材が容易に入手できないために、初回封止が解除されてない状態の偽装工作をするこができないのである。
以上、本発明の一実施形態につき説明したが、本発明は上記実施形態に限定されることなくその要旨を逸脱しない範囲内で種々の変形が可能である。
例えば、複数個の第１封止部材及び第２封止部材のうち、少なくとも一対が初回封印に使用される場合、また、２対が初回封印に使用される場合、１個又は２個が他と異なる構造である必要性があるが、更に、２番目の封印に使用される第１封止部材及び第２封止部材及び封止部材と３番手以降に使用される第１封止部材及び第２封止部材及び封止部材についても、初回、２番手、その他の番手のものとその構造を異なるようにしてもよい。
要するに、廃棄されたり、破壊されたことによって入手可能な初回封止以外の内蔵封止部材が、新たに偽造成型された基板ユニットのケースに代用されることがないようすることができれば、本発明の目的は達成されるのであり、かかる目的のための種々の組み合わせは本発明の対象となる
【産業上の利用可能性】
【０１２６】
本発明は、基板ユニットの偽造成型にもとづいてＲＯＭ交換の不正を分り難くする不正偽装を防止するもので、これを採用する遊技機、例えば、パチンコ機、スロットマシン、ゲーム機等、種々の遊技機に適用でき、その利用可能性は大きい。
【符号の説明】
【０１２７】
２６３：基板ケース
４００：第１ケース
４０１：第１封止部
４７０：封止機構
４１０：ピン収納スペース
４２０：ピン位置規制部
５００：第２ケース
５０１：第２封止部
７００：封止ピン
７００Ａ：第１封止金具
７００Ｂ：第２封止金具
【図１】
2014166547.tif 000003
【図２】
2014166547.tif 000004
【図３】
2014166547.tif 000005
【図４】
2014166547.tif 000006
【図５】
2014166547.tif 000007
【図６】
2014166547.tif 000008
【図７】
2014166547.tif 000009
【図８】
2014166547.tif 000010
【図９】
2014166547.tif 000011
【図１０】
2014166547.tif 000012
【図１１】
2014166547.tif 000013
【図１２】
2014166547.tif 000014
【図１３】
2014166547.tif 000015
【図１４】
2014166547.tif 000016
【図１５】
2014166547.tif 000017
【図１６】
2014166547.tif 000018
【図１７】
2014166547.tif 000019
【図１８】
2014166547.tif 000020
【図１９】
2014166547.tif 000021
【図２０】
2014166547.tif 000022
【図２１】
2014166547.tif 000023
【図２２】
2014166547.tif 000024
【図２３】
2014166547.tif 000025
【図２４】
2014166547.tif 000026
【図２５】
2014166547.tif 000027
【図２６】
2014166547.tif 000028
【図２７】
2014166547.tif 000029
【図２８】
2014166547.tif 000030
【図２９】
2014166547.tif 000031
【図３０】
2014166547.tif 000032
【図３１】
2014166547.tif 000033
【図３２】
2014166547.tif 000034
【図３３】
2014166547.tif 000035
【図３４】
2014166547.tif 000036